(57)【要約】【課題】  電子部品収納用パッケージ表面に蓋体を高強度に接合することによって気密性の高い電子部品収納用パッケージを提供すること。【解決手段】  上面に電子部品４の搭載部１ａが形成された絶縁基体１と、絶縁基体１の上面に形成された配線導体５と、絶縁基体１の上面の外周部に搭載部１aを取り囲むように形成された枠状のメタライズ層３とを具備しており、メタライズ層３は、その表面に複数の凸部３ａが形成されており、複数の凸部３ａは、絶縁基体１の上面の最も外周側に位置するものが最も内周側に位置するものよりも幅が広くなっている。【選択図】  図１
2005217100.tif 000002
【特許請求の範囲】
【請求項１】
上面に電子部品の搭載部が形成された絶縁基体と、該絶縁基体の上面に形成された配線導体と、前記絶縁基体の上面の外周部に前記搭載部を取り囲むように形成された枠状のメタライズ層とを具備しており、該メタライズ層は、その表面に複数の凸部が形成されており、該複数の凸部は、前記絶縁基体の上面の最も外周側に位置するものが最も内周側に位置するものよりも幅が広いことを特徴とする電子部品収納用パッケージ。
【請求項２】
請求項１記載の電子部品収納用パッケージと、前記搭載部に搭載されるとともに電極が前記配線導体に電気的に接続された電子部品と、前記メタライズ層に前記電子部品を覆うように接合された蓋体とを具備していることを特徴とする電子装置。
【発明の詳細な説明】
【技術分野】
【０００１】
本発明は、半導体素子や圧電振動子等の電子部品を収容するための電子部品収納用パッケージおよび電子装置に関するものである。
【背景技術】
【０００２】
従来、半導体素子や圧電振動子等の電子部品を収容するための電子部品収納用パッケージ（以下、単にパッケージともいう）は、図４に断面図で示すように、セラミックスからなり、その上面中央部に電子部品１４を搭載するための搭載部１１ａ（図４では凹部の底面に形成されている）が形成された絶縁基体１１の上面に、搭載部１１ａを取り囲むように形成された枠状のメタライズ層１３を形成し、このメタライズ層１３の上面に封止用の金属枠体１７を銀ろう等のろう材１８を介してろう付けして成る。そして、搭載部１１ａ内に電子部品１４を搭載した後、金属枠体１７の上面に平板状の蓋体１２を接合することによって、内部に電子部品１４が気密に封止され、これにより製品としての電子装置となる。
【０００３】
なお、このようなパッケージにおいては、パッケージのメタライズ層１３の表面に凸部１３ａを形成し、メタライズ層１３上に金属枠体１７を銀ろう等のろう材１８を介してろう付けすることにより、メタライズ層１３と金属枠体１７との間の距離を大きくしてこの隙間にろう材１８の溜まりを形成することで、ろう付け強度を高いものにするという方法が採用されている（例えば下記の特許文献１参照）。
【０００４】
このようなパッケージは、メタライズ層１３上に高融点金属ペーストを印刷塗布することで、メタライズ層１３の表面に凸部１３ａを有するパッケージとして形成されている。
【特許文献１】特許第２８８９５１９号公報
【発明の開示】
【発明が解決しようとする課題】
【０００５】
しかしながら、上記特許文献１に示されるようなパッケージは、ろう材１８の溜まりを大きくするために幅の狭く高さの高い凸部１３ａを形成する必要があるが、このような凸部１３ａは、熱応力により凸部１３ａが剥がれやすくなるとともに、凸部１３ａの高さがばらついたり、蓋体１２が接合時にずれたりすることにより、蓋体１２をパッケージ主面に平行に接合するのが困難であり、接合時に蓋体１２に傾きが発生して、絶縁基体１１と蓋体１２との接合強度にばらつきが発生するという問題点を有していた。
【０００６】
また、凸部１３ａを幅の広いものとして形成すると、蓋体１２とパッケージとの間のろう材１８の溜まりが少なくなり、絶縁基体１１と蓋体１２とを強固に接合することができなくなるという問題点を有していた。
【０００７】
従って、本発明は、上記従来の問題点に鑑みて完成されたものであり、その目的は、電子部品収納用パッケージ表面に蓋体を高強度に接合することによって気密性の高い電子部品収納用パッケージを提供することにある。
【課題を解決するための手段】
【０００８】
本発明の電子部品収納用パッケージは、上面に電子部品の搭載部が形成された絶縁基体と、該絶縁基体の上面に形成された配線導体と、前記絶縁基体の上面の外周部に前記搭載部を取り囲むように形成された枠状のメタライズ層とを具備しており、該メタライズ層は、その表面に複数の凸部が形成されており、該複数の凸部は、前記絶縁基体の上面の最も外周側に位置するものが最も内周側に位置するものよりも幅が広いことを特徴とする
本発明の電子装置は、本発明の電子部品収納用パッケージと、前記搭載部に搭載されるとともに電極が前記配線導体に電気的に接続された電子部品と、前記メタライズ層に前記電子部品を覆うように接合された蓋体とを具備していることを特徴とする。
【発明の効果】
【０００９】
本発明の電子部品収納用パッケージによれば、上面に電子部品の搭載部が形成された絶縁基体と、絶縁基体の上面に形成された配線導体と、絶縁基体の上面の外周部に搭載部を取り囲むように形成された枠状のメタライズ層とを具備しており、メタライズ層は、その表面に複数の凸部が形成されており、複数の凸部は、絶縁基体の上面の最も外周側に位置するものが最も内周側に位置するものよりも幅が広いことから、メタライズ層と蓋体との間のろう材溜まりの量を大きくすることができ、メタライズ層に蓋体を接合する際の冷却過程における蓋体の収縮等によって生じるメタライズ層を内側に引っ張るように加わる熱応力をろう材溜まりで良好に吸収緩和することができるとともに、複数の凸部の側面でこの熱応力を良好に分散してより良好に吸収緩和することができ、凸部が剥がれたりするのを防止することができる。
【００１０】
また、最外周側の凸部は幅が広く形成されているので、最外周側のメタライズ強度をより高くすることができ、内側に引っ張るように加わる熱応力が大きく発生しやすいメタライズ層や凸部の外周部が剥がれるのをより効果的に防止することができる。
【００１１】
また、複数の凸部が形成されていることで、ろう材との接合面積を大きくして、ろう材との接合強度を高くすることができ、蓋体を強固に取着することができるようになる。
【００１２】
また、複数の凸部を形成することで、凸部を形成する際に、凸部の厚みばらつきが大きく発生するのを抑制するとともに、蓋体がずれたりしても、複数の凸部で固定することとなり、蓋体の接合時の蓋体の傾きを抑制して接合強度のばらつきを小さくし、接合信頼性を向上させることができる。
【００１３】
従って、電子部品収納用パッケージ表面に、蓋体を強固かつ接合信頼性よく接合することができ、電子部品収納用パッケージと蓋体との間の密閉空間を気密性に優れたものとすることができるようになる。
【００１４】
本発明の電子装置は、本発明の電子部品収納用パッケージと、搭載部に搭載されるとともに電極が配線導体に電気的に接続された電子部品と、メタライズ層に電子部品を覆うように接合された蓋体とを具備していることから、電子部品収納用パッケージと蓋体とで気密性の高い密閉空間を形成することができ、長期間にわたって電子部品を安定して作動させることのできる電子部品装置とすることができる。
【発明を実施するための最良の形態】
【００１５】
本発明の電子部品収納用パッケージの実施の形態を以下に詳細に説明する。図１は本発明のパッケージについて実施の形態の一例を示す断面図であり、図２は図１におけるパッケージの要部拡大断面図である。これらの図において、１は絶縁基体、２は蓋体、３はメタライズ層、３ａは凸部である。
【００１６】
本発明のパッケージは、上面に電子部品４の搭載部１ａが形成された絶縁基体１と、絶縁基体１の上面に形成された配線導体５と、絶縁基体１の上面の外周部に搭載部１ａを取り囲むように形成された枠状のメタライズ層３とを具備しており、メタライズ層３は、その表面に複数の凸部３ａが形成されており、複数の凸部３ａは、絶縁基体１の上面の最も外周側に位置するものが最も内周側に位置するものよりも幅が広い。
【００１７】
本発明の絶縁基体１はセラミックスから成り、例えば酸化アルミニウム質焼結体（アルミナセラミックス），窒化アルミニウム質焼結体，ムライト質焼結体，ガラスセラミックス等のセラミックスから成る絶縁層を複数層積層してなる直方体状の箱状体であり、上面の中央部に電子部品４を収容するための搭載部１ａが形成されている。絶縁基体１は、上面に凹部が形成され、この凹部の底面に電子部品４の搭載部１ａが形成されていてもよく、または、平板状の絶縁基体１の上面に搭載部１ａが形成されていてもよい。絶縁基体１が平板状である場合、例えば、下面に凹部を有する蓋体２で電子部品４を覆うように取着することによって電子部品４を収納することができる。
【００１８】
絶縁基体１が例えば酸化アルミニウム質焼結体から成る場合、酸化アルミニウム、酸化珪素、酸化マグネシウム、酸化カルシウム等の原料粉末に適当な有機バインダー、溶剤等を添加混合して泥漿状となし、これを従来周知のドクターブレード法やカレンダーロール法等によりシート状に成形してセラミックグリーンシート（セラミック生シート）を得、しかる後、これらのセラミックグリーンシートの各々に適当な打ち抜き加工を施すとともにこれらを上下に積層し、高温（約１６００℃）にて焼成することによって製作される。なお、図１においては、絶縁基体１の上面に電子部品４を収容するための凹部を形成し、凹部の底面に搭載部１ａを形成した例を示す。
【００１９】
また、絶縁基体１には、搭載部１ａから絶縁基体１の下面等の外面に導出する複数の配線導体５が被着形成されている。配線導体５は、搭載部１ａに搭載される電子部品４の各電極を外部の電気回路に電気的に接続するための導電路として機能し、その搭載部１ａに位置する部位は電子部品４の各電極が半田や導電性樹脂等の導電性接合材６を介して電気的に接続され、また絶縁基体１の下面に導出した部位は半田等の電気的接続手段を介して外部電気回路に接続される。これにより、電子部品４の各電極と外部電気回路とが電気的に接続されて、電子部品４へ電力や駆動信号が供給される。
【００２０】
このような配線導体５は、例えばＷやＭｏ等の金属粉末に適当な有機溶剤、溶媒を添加混合して得た金属ペーストを絶縁基体１となるグリーンシートに予めスクリーン印刷法により所定パターンに印刷塗布しておくことによって、絶縁基体１の所定位置に被着形成される。
【００２１】
なお、配線導体５の露出する表面には、ニッケル（Ｎｉ），金（Ａｕ），Ａｇ等の耐蝕性に優れる金属を１〜２０μｍ程度の厚みで被着させておくのがよく、配線導体５が酸化腐蝕するのを有効に防止できるとともに、配線導体５と導電性接合材６および半田等の電気的接続手段との接続性を良好なものとすることができる。従って、配線導体５の露出表面には、厚さ１〜１０μｍ程度のＮｉめっき層と厚さ０．１〜３μｍ程度のＡｕめっき層とが、電解めっき法や無電解めっき法により順次被着されていることがより好ましい。
【００２２】
さらに、絶縁基体１の上面には、搭載部１ａを取り囲むようにして、枠状のメタライズ層３が形成されており、メタライズ層３は、その表面に複数の凸部３ａが形成されている。複数の凸部３ａは、絶縁基体１の上面の最も外周側に位置するものが最も内周側に位置するものよりも幅が広くなっている。メタライズ層３および凸部３ａは、タングステンやモリブデン、銅、銀等の金属粉末メタライズから成り、絶縁基体１に金属枠体７を接合するための下地金属として機能する。そして、メタライズ層３および凸部３ａの上面には、搭載部１ａを取り囲む金属枠体７が銀ろう等のろう材８を介してろう付けされており、金属枠体２とメタライズ層３との間には、凸部３ａの高さに対応した厚みのろう材８の溜まりが形成されている。
【００２３】
これにより、メタライズ層３と蓋体２との間のろう材８の溜まりの量を大きくし、メタライズ層３に蓋体２を接合する際の冷却過程における蓋体２の収縮等によって生じるメタライズ層３を内側に引っ張るように加わる熱応力をこの大きなろう材８の溜まりで良好に吸収緩和することができる。また、内側に引っ張るように加わる応力を複数の凸部３ａの側面で吸収するとともに分散させることにより、凸部３ａが剥がれたりするのを有効に防止することができる。
【００２４】
また、最外周側の凸部３ａは幅が広く形成されているので、最外周側のメタライズ強度を高くし、内側に引っ張るように印加される熱応力が大きく発生しやすいメタライズ層３や凸部３ａの外周部が剥がれるのをより良好に防止することができる。
【００２５】
また、複数の凸部３ａが形成されていることで、ろう材８との接合面積を大きくして、ろう材８との接合強度を高くすることができ、蓋体２を強固に取着することができるようになる。
【００２６】
また、複数の凸部３ａを形成することで、凸部３ａを形成する際に、凸部３aの厚みばらつきが大きく発生するのを抑制するとともに、蓋体２がずれたりしても、複数の凸部３aで固定することとなり、蓋体２の接合時の蓋体２の傾きを抑制して接合強度のばらつきを小さくし、接合信頼性を向上させることができる。
【００２７】
従って、パッケージ表面に、蓋体２を強固かつ接合信頼性よく接合することができ、パッケージと蓋体２との間の密閉空間を気密性に優れたものとすることができるようになる。
【００２８】
なお、金属枠体７を用いずにメタライズ層３および凸部３ａの上面にろう材８を介して直接蓋体２を接合してもよい。
【００２９】
このようなメタライズ層３および凸部３ａは、タングステン等の金属粉末に適当なバインダー，溶剤を添加混合して得たメタライズ層３となる金属ペーストを絶縁基体１となるセラミックグリーンシート上に従来周知のスクリーン印刷法を採用して枠状に印刷塗布した後、さらにその上面に、それぞれの凸部３ａとなる金属ペーストを従来周知のスクリーン印刷法を採用して枠状に印刷塗布し、これらを絶縁基体１となるセラミックグリーンシート積層体と同時に焼成することによって絶縁基体１の上面に搭載部１ａを取り囲むように所定の形状に被着される。
【００３０】
また、上記以外には、メタライズ層３となる金属ペーストを絶縁基体１となるセラミックグリーンシート上に周知のスクリーン印刷法を採用して、金属ペーストを印刷塗布した後、凹部を有する金型等で、金属ペースト上を押圧することで、金属ペースト上に凸部３ａを形成することもでき、これを高温で絶縁基体１となるセラミックグリーンシート積層体と同時に焼成することによって絶縁期待１の上面に搭載部１ａを取り囲むように所定の形状に被着して形成することができる。このように凹部を有する金型等で凸部３ａを形成する場合、凸部３ａの位置や高さ等を精度良く形成することができるとともに、メタライズ層３の幅が狭い場合であっても容易に凸部３ａを形成することができるようになる。従って、蓋体２を絶縁基体１に強固かつ精度良く接合することができるようになる。
【００３１】
なお、メタライズ層３および凸部３ａの表面には、メタライズ層３が酸化腐食するのを防止するのを防止するとともにろう材８との接合を良好なものとするために、通常であれば、厚みが１〜１０μｍ程度のニッケルめっき層が電解めっき法や無電解めっき法により被着されているのが好ましい。
【００３２】
また、図３に本発明のパッケージの他の例の要部拡大断面図で示すように、複数の凸部３ａの間に位置する部位のメタライズ層の高さが、メタライズ層３の内周端（最内周側の凸部３ａより内側に位置する部位）や外周端（最外周側の凸部３ａより外側に位置する部位）よりも高く形成されていても構わない。
【００３３】
また、複数の凸部３ａが、メタライズ層３上に、内周側から外周側にかけて３つ以上形成されている場合は、最内周側と最外周側を除く凸部３ａは、同じ幅であっても良いし、内周側から外周側にかけて、凸部３ａの幅が漸次広くなるように形成していても良い。つまり最外周の凸部３ａよりも幅が狭くなっていることが好ましい。これにより、凸部３ａ間に形成されるろう材８の溜りを大きくすることができ、応力を有効に緩和することができる。
【００３４】
また、複数の凸部３ａの幅の合計は、メタライズ層３の幅の７０％以下であることが好ましく、７０％よりも幅が広く形成されていると、絶縁基体１と蓋体２との間のろう材８の溜まりが少なくなり、絶縁基体１と蓋体２との接合性が低下しやすくなる。
【００３５】
また、メタライズ層３に銀ろう等のろう材８を介してろう付けされた金属枠体７は、例えば鉄−ニッケル合金や鉄−ニッケル−コバルト合金等の金属から成り、蓋体２を絶縁基体１に接合するための下地金属部材として機能する。そして、金属枠体７上に蓋体２を載置するとともに、例えば蓋体２が金属から成る場合であればこれらをシームウエルド法により溶接することによって蓋体２が金属枠体７に接合される。このような金属枠体７は、鉄−ニッケル合金や鉄−ニッケル−コバルト合金等から成る板材を所定の枠状に打ち抜くことによって形成され、そして、金属枠体７をメタライズ層３の上に例えば箔状のろう材８を挟んで載置し、しかる後、ろう材８を加熱溶融させることによってメタライズ層３状にろう材８を介して接合される。
【００３６】
なお、金属枠体２は、メタライズ層３と接合される側の主面と内外側面との間の角部に曲率半径が５〜５０μｍ程度の丸みが形成されているのがよい。これにより、この丸みによってろう材８の溜まりをさらに大きなものとすることが可能となる。このような丸みは、金属枠体２を打ち抜き囲うにより形成する際、金型の形状や金型を押し付ける速度等を調整することにより所望のものとすることができる。
【００３７】
また、金属枠体７およびろう材８の露出する表面には、金属枠体７およびろう材８が酸化腐食するのを防止するために、厚みが１〜１０μｍ程度のニッケルめっき層および厚みが０．１〜３．０μｍ程度の金めっき層が、ろう付け後に、電解めっき法や無電解めっき法により順次被着されているのが好ましい。
【００３８】
また、蓋体２は、例えば、鉄−ニッケル合金や鉄−ニッケル−コバルト合金から成る平板であり、鉄−ニッケル合金や鉄−ニッケル−コバルト合金板を打ち抜き金型等により所定の形状に製作される。
【００３９】
また、蓋体２は、セラミックスであっても良く、蓋体２がセラミックスから成る場合は、蓋体２の下面に被着された枠状のメタライズ層を直接、絶縁基体１のメタライズ層３にろう材８等を介して接合して、搭載部１ａを気密な状態とすることができる。また、凸部３ａは、絶縁基体１側のメタライズ層３の表面にではなく、蓋体２側の下面に被着したメタライズ層の表面に、蓋体２の下面の内側に位置するほど高さが高くなっている複数の凸部として形成されても構わない。
【００４０】
本発明の電子装置は、本発明の電子部品収納用パッケージと、搭載部１ａに搭載されるとともに電極が配線導体５に電気的に接続された電子部品４と、メタライズ層３に電子部品４を覆うように接合された蓋体２とを具備している。これにより、パッケージと蓋体２とで気密性の高い密閉空間を形成することができ、長期間にわたって電子部品４を安定して作動させることのできる電子部品装置とすることができる。
【００４１】
なお、本発明は上述の実施の形態に限定されるものではなく、本発明の要旨を逸脱しない範囲内で種々の変更を施すことは何等差し支えない。本発明のパッケージは、絶縁基体１と蓋体２とを接合することで、気密性が高く、平坦な密閉空間を形成するものに対して使用することができ、密閉空間内に電子部品４が搭載されていないものに対しても使用することができる。
【図面の簡単な説明】
【００４２】
【図１】本発明の電子部品収納用パッケージについて実施の形態の一例を示す断面図である。
【図２】図１の電子部品収納用パッケージの要部拡大断面図である。
【図３】本発明の電子部品収納用パッケージについて実施の形態の他の例を示す要部拡大断面図である。
【図４】従来の電子部品収納用パッケージの断面図である。
【符号の説明】
【００４３】
１：絶縁基体
１ａ：搭載部
２：蓋体
３：メタライズ層
３ａ：凸部
５：配線導体
【図１】
2005217100.tif 000003
【図２】
2005217100.tif 000004
【図３】
2005217100.tif 000005
【図４】
2005217100.tif 000006